(57)【特許請求の範囲】
【請求項１】
複数のケーブル挿通孔１が形成されるベース部材２と、該ベース部材２にキャップ状のカバー部材３の開口端を嵌合してバンド７で着脱自在に連結されるカバー部材３とでクロージャケースを構成し、該クロージャケース内に複数のケーブル接続部及び心線余長をそれぞれ収納する心線収容体１４を備えたケーブル接続用クロージャにおいて、前記ベース部材２の内面に前記ケーブル挿通孔１の周りで被係止部が形成された係止片１１を弾性屈曲可能に突設し、該係止片１１内の前記ケーブル挿通孔１にゴム様弾性材からなるケーブルシール４を嵌入し、かつ、該係止片１１の外周部に係止できる係止部５が形成されたケーブル把持金具６を前記係止片１１に定着片２６により着脱自在に配備すると共に、前記心線収容体１４が心線余長巻取部１２とコネクタ収容部１３の、テープ接続収容部１３１、単心線接続収容部１３２及び変換心線分離部収容部１３３を備えたものであって、さらに連結ピン１５を有するアーム１５１を設け、該連結ピン１５１で、前記ベース部材２に取付部材９を介して備えられる支持体１０に着脱自在で、かつ回動自在に傾斜重積配備されていることを特徴とするケーブル接続用クロージャ。
【請求項２】
前記ケーブルシール４が、ケーブル外周に沿って接触する貫通孔を有し、熱可塑性ゴム組成物の硬度４０〜８０Ｈｓの板状部材４１と硬度０〜３０Ｈｓの中空筒状部材４２とから一体成形され、前記ケーブル挿通孔１に嵌合配備されるブッシュである請求項１記載のクロージャ。
【請求項３】
前記ケーブル把持金具６が、ベース部材２に突設した係止片１１の外周に係止可能な係止部５と、分離自在の定着片２６とをヒンジ凹凸部２８，２９で接続連結してケーブルシールをケーブル挿通孔１に締め付け嵌着するものである請求項１または２記載のクロージャ。
【請求項４】
前記心線収容体１４が、心線余長を巻き付ける巻回リールのある心線ねじれ防止治具３４を心線余長巻取部に着脱自在に備えている請求項１，２または３記載のクロージャ。
【請求項５】
前記バンド７がヒンジ７２で開閉自在に連結されバックル７３によって締着できるものであって、前記ベース部材２の外周面に形成された筒状嵌合部２１に、前記カバー部材３の開口部を嵌入した状態で嵌着した請求項３または４記載のケーブル接続用クロージャ。
【発明の詳細な説明】
【０００１】
【発明の属する技術分野】
本発明は、ハンドホールやフィンガーホール等に配置される地下配線接続用クロージャ、特に、内部の液密性を損なうことなく光ケーブル等の心線接続部へのアクセスが容易に行えるカプセル型のケーブル接続用クロージャに関する。
【０００２】
【従来の技術】
一般に、光ケーブル等のケーブルの接続に際しては、コネクタを用いてケーブル心線の接続を行いコネクタをクロージャで保護する。このようなクロージャ、特に、地下配線接続用のクロージャは内部への浸水を確実に防止できる高度な密閉性が求められる反面、心線接続部に容易にアクセスできることが望まれる。このため、従来のクロージャにあっては、シール部材を介してビス等により接合される２つのケースハーフからケースを構成するケース構造、あるいは、ケースに心線接続部に臨む開口を形成し、この開口にシール部材を介して蓋をビス止めするケース構造を採用して密閉性と接続作業性の両立を図っていた。
【０００３】
【発明が解決しようとする課題】
しかしながら、この従来のクロージャにあっては、ケーブルの接続等に際して既布設された光ケーブルで分岐または加入者引き込み（ドロップ）が必要となった時点でハンドホールなどにおいて、短余長接続ができにくいため全心切断後、必要な分岐・ドロップケーブルを接続して取り出し、残りは再接続する中間後分岐工法が普通で心線識別の管理や余分な接続作業が必要となって、さらに心線接続部にアクセスするにはテンションメンバの取外しや取付を行わなければならず、その作業が煩雑であるという問題があった。特に、全心接続工法だけでなく後分岐接続や変換心線接続並びにドロップ接続など各種の接続工法に対応して用いられるクロージャではなく専用タイプのためアクセス系ケーブル或いはユーザー系ケーブルに適用できない不便があり、かつハンドホールやフィンガーホール内に配設されるクロージャにあっては、ホール内の空間が狭く作業時に工具がホール壁面と干渉しやすいため、作業性の簡素化が望まれていた。
本発明は、これら従来の欠点を排除しようとするもので、布設済みのケーブル外被を必要長さだけ除去し、ケーブルスロットより分岐・ドロップに必要な心線のみを切断後、簡易に取り出し分岐・ドロップケーブルと短余長接続収納し、しかも各種接続工法に対応して容易に用いられ、心線接続部へのアクセスが簡便に行え、配線作業性を大巾に向上し組立解体も容易でかつ、ケーブル収納の高密度化とケーブルシールの作業性もよく組立解体作業も良好で高い密閉性が得られるクロージャを提供することを目的としたものである。
【０００４】
【課題を解決するための手段】
本発明は、複数のケーブル挿通孔が形成されるベース部材と、該ベース部材にキャップ状のカバー部材の開口端を嵌合してバンドで着脱自在に連結されるカバー部材とでクロージャケースを構成し、該クロージャケース内に複数のケーブル接続部及び心線余長をそれぞれ収納する心線収容体を備えたケーブル接続用クロージャにおいて、前記ベース部材の内面に前記ケーブル挿通孔の周りで被係止部が形成された係止片を弾性屈曲可能に突設し、該係止片内の前記ケーブル挿通孔にゴム様弾性材からなるケーブルシールを嵌入しかつ、該係止片の外周部に係止できる係止部が形成されたケーブル把持金具を前記係止片に定着片により着脱自在に配備すると共に、前記心線収容体が心線余長巻取部とコネクタ収容部の、テープ接続収容部、単心線接続収容部及び変換心線分離部収容部を備えたものであって、さらに連結ピンを有するアームを設け、該連結ピンで、前記ベース部材に取付部材を介して備えられる支持体に着脱自在で、かつ回動自在に傾斜重積配備されているものである。
【０００５】
この発明は、地下配線接続用のクロージャに適し、特に、配置空間が狭いハンドーホールやフィンガーホール内などへ配設されるクロージャに適する。このクロージャのベース部材およびカバー部材は、樹脂の射出成形等によって係止片や係止部とともに一体成形され、該係止片は弾性変形可能に形成され、被係止部として嵌合凹部や穴等が一体形成される。また係止部はリング状のフランジや突起等からなり、このフランジからなる場合は係止または外し方向の全部に傾斜部分が形成され、そしてカバー部材は、係止部をベース部材の係止片にパッキンを介してバンドで嵌着係止させグリップで係止状態が保持される。
【０００６】
ケーブルシールはエラストマやゴム等の熱可塑性ゴム組成物から、または樹脂の射出成形等により構成され、ケーブルの弾接により弾性変形を生じて挿通孔内面およびケーブルと弾着して液密性を確保する。即ち、ケーブルシールはケーブル外周に沿って接触する貫通孔を有し、熱可塑性ゴム組成物の硬度４０〜８０Ｈｓの板状部材と硬度０〜３０Ｈｓの中空筒状部材とから一体成形され、ケーブル挿通孔に嵌合配備されるブッシュとし、パッキンなどのシール部材はベース部材の筒状嵌合部とカバー部材の開口端面との間に介在し、これらの間の液密性を保持する。ケーブルの挿通孔には切除可能のキャップが設けられ使用されないケーブル挿通孔を密閉させてベース部材に備えられる。
【０００７】
【発明の実施の形態】
この発明にかかるケーブル接続用クロージャは、ベース部材に設けたケーブル挿通孔にケーブルが挿通されたケーブルシールを嵌入して、該ケーブルシールをケーブル把持金具により保持し、このケーブル把持金具が係止部をベース部材の被係止部に係止させて取り付けられ、また、カバー部材がその係止部をベース部材の被係止部に係止させて取り付けられ、カバー部材とベース部材の筒状嵌合部との間にはシール部材が介装されバンドで嵌着される。このため、ケーブルの導入やケーブルの心線接続部へのアクセスが工具を用いることなく容易に行える。また、心線収容体が心線余長巻取部と、テープ接続収容部、変換心線分離部収容部並びに単心線接続収容部とを備えたことで、各種の心線接続工法での心線収納が可能となりドロップケーブルの接続配線作業を簡便に行うことができ、心線識別の管理等も容易に行える。
【０００８】
【実施例】
以下、この発明の実施例を図１乃至図１０を参照して説明する。
複数のケーブル挿通孔１が形成された端面板のベース部材２にキャップ状のカバー部材３の開口端を嵌合してクロージャケースを構成し、該クロージャケース内に複数のケーブルの接続部及び心線余長をそれぞれ収納する心線収容体１４を備えたケーブル接続用クロージャにおいて、前記ベース部材２のケーブル挿通孔１にゴム様弾性材例えば、熱可塑性ゴム組成物からなる筒状のケーブルシール４を嵌入して、該ケーブルシール４に前記ケーブルを液密的に貫通させ、前記ベース部材２の内面に前記ケーブル挿通孔１の周りで被係止部が形成された嵌合筒状の係止片１１を弾性屈曲可能に突設するとともに、該係止片１１の外周部に係止可能な係止部５が形成されたケーブル把持金具６を着脱自在に配備すると共に、前記ベース部材２の外周面に前記カバー部材３の開口端が嵌入できる凹溝のある筒状嵌合部２１を形成し、パッキン８を介して該筒状嵌合部２１を嵌入するバンド７を着脱自在に備えてケーブル接続用クロージャ２０としてある。（図１乃至図３）
【０００９】
この場合、前記ベース部材２の係止片１１の被係止部がフランジであり、該フランジにケーブルシール４が重合嵌合され、かつケーブル把持金具６の係止部５で前記ケーブルシール４を締めあげてケーブル挿入孔１に嵌着されているようになっている。
また、前記カバー部材３の外周面に前記ベース部材２の被係止片と対応した位置決め凹部７１を形成したヒンジ７２で開閉自在のバンド７を嵌着してバックル７３で締付けてベース部材２と、カバー部材３とをパッキン８を介して接続連結してある。
【００１０】
前記ベース部材２には、取付部材９を介して備えられる支持体１０に、心線余長巻取部１２およびカセット１６の嵌込用のコネクタ収容部１３、例えばテープ接続収容部１３１、単心線接続収容部１３２及び変換心線分離部収容部１３３を有する心線収容体１４をアーム１５１  を介して連結ピン１５で回動自在、例えば９０度回動できるよう備え、前記カバー部材３の中に配備されやすくなっている。
また、前記心線収容体１４としては、図８乃至図９に示すように舌状の心線押さえリブ１７を互い違いに突設した心線導出入部１８と、心線余長をループ状に巻回させる心線余長巻取部１２に突設した心線押え片１９とを複数備え、心線ねじれ防止治具３４の取付片３６のある収容部３５を設けたトレイ状のケースであって、ケース外壁に突設したアーム１５１に連結ピン１５を有し、該連結ピン１５を前記支持体１０にベース１０１に複数設けた連結孔１５２に着脱させて、前記心線収容体１４を複数傾斜重積配備できる構成としてある。
【００１１】
このクロージャ２０は、ハンドホール或いはフィンガーホール内に収容され、分岐ドロップケーブルの複数（本実施の形態では６本）の引き込み光ケーブルへの分岐接続に用いられる。そしてクロージャ２０内に支持体１０を介して取付けられた心線収容体１４がベース部材１０１に取り付けられて収納される。
【００１２】
図５に示すようにクロージャ２０の端面板となるベース部材２にはケーブル挿通孔１が多数形成され、該ケーブル挿通孔１に薄肉のキャップ１１を有し、このキャップ１１を切除してケーブルの分岐、並びに引き込み用の挿通孔１として使用できるようにし、該ケーブル挿通孔１の周囲に筒状ボス部を設けて係止片１１とし、この係止片１１にケーブル把持金具６が嵌着保持されるようになっている。
【００１３】
前記ケーブル把持金具６としては、図６に示す如く前記ベース部材２のケーブル挿通孔１の周りにある係止片１１に嵌合する係止部６１とテンションメンバ把持部６２とを上下に備え、さらに係止部６１に対応する係止部６３を持った定着片２６を着脱自在に設けてベース部材２に嵌着できるようにしてある。また、ケーブル把持金具６と定着片２６とにはケーブル径の差異によって必要に応じ付設される円弧状のスペーサ２５が着脱自在に備えられる。
【００１４】
このスペーサ２５としては、ケーブル周囲を気密にグリップするもので、図７に示すように内周面に突条のシール部２３を有し、取付用のノブ２４を有し、図６のケーブル把持金具６と定着片２６に形成された取付孔２７，２７１に嵌脱されて用いられる。また、前記定着片２６は、ケーブル把持金具６の基部と対設されてヒンジ凹凸部２８，２９で接続され、貫通孔３０，３１にビスなどを挿入して連結組立てられ、ケーブル挿通孔１に入るケーブルを確実に定着できるようにしてある。
【００１５】
前記心線収容体１４の前記心線導出入部１８としては、ケース本体のコーナー部の区画壁間に舌片状の押えリブ１７を互い違いに突設して、ケース側面に心線導出入用の開口部が形成されるようになっていて、該ケース本体の側壁内面の周囲に心線余長をループ状に巻回させる心線巻回通路が区画されるように中央部にコネクタ収容部１３と、前記心線ねじれ防止治具３４を嵌装できる円筒状嵌合壁の心線巻取部１２とを突設し、さらに側壁の上縁でケース本体の心線余長収納部内に突出する心線押え片１９を複数備えている。このケース本体はベース１０１にワンタッチで嵌脱できるようにしてある。（図８及び図９）
【００１６】
なお、前記コネクタ収容部１３としては、差込スリットを複数間隔をあけて設けた側壁に跨がって間隔をあけて複数の仕切壁で区画されるコネクタ嵌入凹部を複数並列したものであって、心線を周方向に案内するガイド壁を両側壁に連設し、該ガイド壁の上縁に心線押え片１９を複数備えて心線余長巻取部１２を形成するのがよい。仕切壁では対向面にコネクタを入れたカセット１６を挾持する当接リブ、或いは隙間巾をカセット巾より小さくしてカセットを挾持し係止しやすくしてある。
【００１７】
前記ケーブル挿通孔１の周りにある嵌合筒状の係止片１１は、一端にフランジ１１１を有し外周面に条溝が形成され、この条溝にケーブル把持金具６が嵌着される。この嵌合筒部には、ケーブルシール４が介装されケーブルシール４をケーブル挿通孔１に圧着する。ケーブルシール４は、ゴムやエラストマ、あるいはゲル等から一端にフランジのある楕円筒または円筒形状に成形される。即ち、ケーブルシール４としては、ケーブル外周に沿って接触する貫通孔を有し、熱可塑性ゴム組成物の硬度４０〜８０Ｈｓの板状部材４１と硬度０〜３０Ｈｓの中空筒状部材４２とから一体成形され、ケーブル挿通孔１に嵌合配備されるブッシュとしてある。前記ケーブル挿通孔に嵌装されるブッシュの中空筒状部４２は針入度４０〜９０（１０−１ｍｍ）で、伸び率１５００〜２０００％及び弾性率０．５〜１．５ｋｇｆ／ｃｍ２  の熱可塑性ゴム組成物から構成され、板状部４１及び中空状部４２に外周面から内周面に連通する切目４４を備えたブッシュとするのがよい。
【００１８】
そして、ケーブルシール４の中空筒状部４２は、その内周または外周のいずれか或いはいずれにもリング状のシールリブ４３を軸方向に間隔をおいて複数条突設してガスケット機能をはたすものを用いてもよい。この場合、前記シールリブ４３の数や高さ或いは巾をケーブル径の変動に対応して選んで設けられる。
【００１９】
またケーブルシール４の前記中空筒状部４２が、伸びが大きく引張応力（モジュラス）も大きい低硬度ゴム（ショアー硬度０〜３０）を用い、即ち、針入度４０〜９０、好ましくは５０〜７０（１０−１ｍｍ・ＪＩＳ  Ｋ２５６０）で、伸び率１５００〜２０００、好ましくは１７００〜１９００％（ＪＩＳ  Ｋ６３０１）及び弾性率１００％−０．５，３００％−１．０，４００％−１．４ｋｇｆ／ｃｍ２（ＪＩＳ  Ｋ６３０１）の熱可塑性ゴム組成物、例えばＥＰＤＭ、シリコーンゴム、ブチルゴム、スチレン・ブタジェンゴム或いはフッソゴムなど低硬度（Ｈｓ）のもの、さらに詳しくは、比重１．０〜１．０５、引張強度３１．０ｋｇｆ／ｃｍ２で圧縮永久歪（７０℃×２２Ｈ）は６３．０％のものを用い、ケーブル外被に連結片の突条部が残っていても、或いはよじりメタルケーブルの外周が凸凹していてもブッシュが弾性変形して隙間なく密着されて気密性を確保できるものであって、さらに該ブッシュに形成される切目４４は軸方向に平行な直線状、或いは軸方向に対して喰込み継目、例えば凸凹状、Ｚ状、Ｓ状或いはΩ状となっているもので密接するもの、或いは若干隙間があっても軸方向に対する面で密接面が存在する形態であれば有効に用いられる。
【００２０】
さらに、前記ケーブルシール４に設けた前記切目４４としては半径方向に対しては直線状に切離する場合でもなるべく長い距離のものとして接着面積を多くとるのがよく凸凹状、鉤状或いは波状、若しくは螺旋状に切離することが配慮される。特に、ケーブルシール４はケーブルに巻き付けたのちにベース部材２にセットする工程となるため、ケーブルシール４の切目４４の合せ部が開かないように円周方向に長くずらせて、例えばケーブル挿通孔から外周面に向かって渦巻状に切離して接着面積を多くとってベロのように開いてケーブルを導入するようにすれば、接着力のある低硬度のケーブルシール４は切目４４の合せ部位が開くことがなく適確なシール性が発揮されて有効である。
【００２１】
なお、ドロップケーブル用のケーブルシール４としては、複数のスリット４０を一端に肉薄部を残して設け、ドロップ用閉塞栓４１を嵌装して用い、必要時に閉塞栓４１を取り除きスリット４０の肉薄部を切除して単心線を挿通してユーザ系に分岐できるようにしてもよい。（図１０）
この場合、板状部４１は硬度４０〜８０ＨｓのＥＰＤＭで筒状部４２は硬度０〜３０の低硬度のものが用いられる。
【００２２】
また、前記ケーブル把持金具６は、ベース部材２の係止片１１の外周に係止可能な係止部６２を備え、分離自在の定着片２６を接続連結してケーブルシール４をケーブル挿通孔１に締め付け嵌着するものである（図６）が、図１１に示すように複数の線孔６０のあるドロップテンションメンバ把持部６２を一端に着脱自在に設け、さらにベース部材２に突設したブラケット３２に図１２に示す如き集合ドロップ把持金具３３を備えて、各種ケーブルの使用に対応するようにするのがよい。
【００２３】
前記心線収容体１４のコネクタ収容部１３に装入されるカセット１６は、図１３に示す如く差込スリット１６１を複数間隔をあけて設けた側壁に跨がって間隔をあけて複数の仕切壁１６２で区画された凹部を複数並列したもので、ドロップケーブルの変換の際に有効に用いられる。
【００２４】
また、心線余長巻取部１２には、図１４に示す心線余長を巻き付ける巻回リール３４１  及び仕切リブ３４２とノブ３４３のある心線ねじれ防止治具３４を心線余長巻取部１２の収容部３５の取付片３６に着脱自在に備えて用いるのがよく、（図９ａ及び図９ｂ）従って、この心線余長巻取部１２は接続部品と心線余長のケース収納ができ、ケーブル挿入部からのファイバ配線の曲げ極少であり、心線収納時の心線ねじれをも防止でき、安全かつ高密度収納可能で高信頼性が得られる。
【００２５】
この場合での心線接続作業では、クロージャ２０のカバー部材３を開いて多心ケーブル外被を切除して心線を露呈して、これに接続する心線相互をコネクタによって接続し、心線の接続余長を心線余長収容体１４にある心線ねじれ防止治具３４に保持させつつ心線ガイド板に沿わせ、コネクタをコネクタ保持部１３の収納するので、心線の接続作業や接続状況の確認を容易に行うことができる。
そして、前記心線余長収容体１４では心線ねじれ防止治具３４を外して心線導出入部からケース本体内に導入した心線相互を治具３４の巻回リール３４１にそれぞれループ状にねじれが発生しないように巻き付ける。この心線ねじれ防止治具３４は、ノブ３４３をケース本体に突設した取付片３６に嵌装して、接続余長をとった状態でリールの隙間にスポンジなどの保持具（図示せず）を圧入し、心線相互が動かないように仮固定する。
次に心線接続余長が取られた心線相互をコネクタ等によって接続し、前記保持具を取り除いて仮固定を外した状態としてコネクタをコネクタ収容部１２に嵌挿係止すると共に、心線ねじれ防止治具３４から延びる心線も周方向にループ状に弯曲して心線余長巻取部１３に配して心線押え片１９でケース本体内に収納し、この心線余長の収納作業が終了したのち、心線余長収容体１４を積み重ねて載置固定すればよく、心線接続部を個別単位でコネクタ収納部１３に嵌挿できるので瞬断防止も確実であり、しかも心線導出入部１８からテープ心線または単心線がストレートで出入させることで、ＭＨ、ＨＨ等へのクロージャ設置に対しても伝送特性に悪影響がなく、しかもクロージャ形状の小型化ができる。
即ち、心線余長収容体１４は、心線ねじれ防止治具３４で心線余長を収納するため接続作業終了後に心線にたるみが生じないし、伝送特性に影響を与えない配線整理ができ、余長取扱い作業も著しく簡便化できる。
【００２６】
カバー部材３は、図１乃至図３に示すように、一端（上端）が略半球状に閉止してガス注入部３１を備え、下端が開口した有底円筒状をなし、樹脂の射出成形等により成形される。このカバー部材３の外周面には、複数の滑り止め用の突条が一体に形成される。
【００２７】
この実施の形態にあっては、既存光ケーブル２１からドロップケーブルを分岐接続する場合、先ず、光ケーブルをケーブルシール４に挿通してベース部材２の大径ケーブル挿通孔１に貫通させ、また同様に、引き込み光ケーブルをケーブルシール４に挿通してベース部材２の小径ケーブル挿通孔１に挿通し、これらケーブルの接続側端部をベース部材２の内面側に引き出す。そして、ケーブルシール４を嵌入してケーブル把持金具６を定着片２６で係止止着するとともに、各ケーブルのテンションメンバをケーブル把持具６の把持部６２に止着する。前記ケーブルシール４は弾性変形を生じてケーブルおよびケーブル挿通孔１の内壁面に弾接し、高い封止性が得られ、端面板の閉鎖栓一体化構造で支持部の一体化もできるし、テンションメンバとケーブルの把持具の一体化で作業性が向上する。
【００２８】
次に、予め組み付けられた支持体１０と心線収容体１４、すなわち、心線収容体１４をベース部材２に取り付ける。ここで、心線収容体１４のベース部材２への取付は取付部材９で行える。
【００２９】
次いで、各ケーブルの光ファイバを心線収容体１４の心線導出入部１８から導いてコネクタにより接続し、コネクタをコネクタ収容部１３の空間内に収容し、また、心線ねじれ防止治具３４に巻き付けて余長部分を心線余長巻取部１２に巻回保持するので、安全かつ高密度で高信頼性が得られる。なお心線収容体１４は、カバー部材内径に合わせた高収納効率形状となっており、ケーブル挿入部からのファイバ配線の曲げ極小でカセットによるどのスプライスにも適用可能でスプライス固定位置共通化が図れるほか、片方向配線により作業の自由度が大きく、ハンドリング時の安全確保も可能で簡単な心線識別と任意のファイバーが容易に取り出し可能である。
【００３０】
この後、前記カバー部材３をベース部材２に取り付けて心線収容体１４を被蓋する。すなわち、カバー部材３の開口端をベース部材２の嵌合筒部と嵌合させバックル７２によるバンド７で締め付ける。ここで、カバー部材３は、パッキン８を介装してベース部材２に取り付けられる。このため、カバー部材３の取付も工具を用いることなく簡単にワンタッチで行える。特に、カバー部材３には位置決め用の突条が形成されているため、バンド７との位置合わせも容易でカプセルによるシームレス化が可能である。そして、ベース部材２にカバー部材３が取り付けられた状態では、ベース部材２の嵌合筒部外周面とカバー部材３の開口端内周面との間に全周にわたってシール部材のパッキン８が介在して弾着するため、内部への水の浸入等を確実に防止できる。
【００３１】
また、ケーブルの再接続等は、前述した手順と逆に、カバー部材３をベース部材２から取外し、さらに、必要に応じて心線余長収容体１４を取り外して行うが、これらカバー部材３等の取外しも工具を用いることなく行える。したがって、ケーブルの再接続も容易に行える。
【００３２】
上述したように、この実施の形態にかかるクロージャにあっては、ケーブルの接続等に際してのケース内部へのアクセスが工具を用いることなく行え、また、テンションメンバの止着も最少工具で行える。このため、ケーブルの接続作業を容易かつ短時間で行え、ケーブルの設置費用の低減等が図れる。
【００３３】
なお、上述した実施の形態ではハンドホールまたはフィンガーホールに設置する光ケーブル用のクロージャを例示するが、この発明のクロージャの設置はハンドーホールに限定されるものではなく、マンホールや地上置きまた、光ケーブルに限らず通常のケーブルにも適用できることは述べるまでもない。
【００３４】
さらに、上述した実施の形態では、ベース部材２を下側にしてホール内に設置しているが、このクロージャは高い水密性が得られるため、天地逆、すなわち、ベース部材２を上側にして設置することも可能である。
またさらに、上述した実施の形態では、テンションメンバの止着もケーブル把持金具ねじ等を用いテンションメンバを止着し、高い止着強度を得ることも可能である。
【００３５】
【発明の効果】
本発明は、複数のケーブル挿通孔が形成されるベース部材の内面に前記ケーブル挿通孔の周りで被係止部が形成された係止片を弾性屈曲可能に突設し、該係止片内の前記ケーブル挿通孔にゴム様弾性材からなるケーブルシールを嵌入しかつ、該係止片の外周部に係止できる係止部が形成されたケーブル把持金具を前記係止片に定着片により着脱自在に配備すると共に、前記心線収容体が心線余長巻取部とコネクタ収容部の、テープ接続収容部、単心線接続収容部及び変換心線分離部収容部を備えたものであって、さらに連結ピンを有するアームを設け、該連結ピンで、前記ベース部材に取付部材を介して備えられる支持体に着脱自在で、かつ回動自在に傾斜重積配備されていることにより布設済みのケーブル外被を必要長さだけ除去し、ケーブルスロットより分岐・ドロップに必要な心線のみを切断後、簡易に取り出し分岐・ドロップケーブルと短余長接続収納し、しかも各種接続工法に対応して容易に用いられ、しかもベース部材へのカバー部材の着脱が工具を用いることなくワンタッチで行えると共に、高い密閉性が維持できるため、ケーブルの接続作業が容易に行え、また内部への水の浸入等も確実に防止できる。
そして、簡易な心線識別と任意心線のハンドリングもしやすく、かつケーブル取り付けが１個のベース部材のみによる作業のため作業向上が得られると共に、スリーブシール部分に粘着シール材・コンパウンドを使用しないので組立・解体作業が容易であり、ハンドーホールやフィンガーホール内でのクロージャの設置自由度も大きく設置作業が容易である。
また、ケーブル挿通孔にケーブルシールを嵌入してケーブル把持金具を定着片で係止止着するとともに、各ケーブルのテンションメンバをケーブル把持具の把持部に止着できるのでケーブルシールは弾性変形を生じてケーブルおよびケーブル挿通孔の内壁面に弾接し、高い封止性が得られ、端面板の閉鎖栓一体化構造で支持部の一体化もできるし、テンションメンバとケーブル把持具の一体化で作業性の向上が図られ、さらにテンションメンバ把持部とケーブル把持部との一体化でケーブル把持構成の部品数削減化でき、需要に応じた把持部品追加もでき、ケーブル把持とケーブルシール機構の一体化で作業性を大巾に向上できる。
さらに本発明にかかるベース部材に備えられる心線余長収容体では、連結ピンを有するアームでベース部材に備えられる支持体に着脱自在で、かつ回動自在に傾斜重積配備されているので収容体表面を有効に大きくできて、心線全長収容体の表面が見やすく、点検、補修などの作業がしやすいし、容積率も小さくできてクロージャ全体のコンパクト化に寄与できるほか、各種の心線接続工法に兼用して使用できるし、カバー部材スリーブ内径に合わせた高収納効率形状としケーブル挿入部からのファイバ配線の曲げ極少カセットによるどのスプライスにも適用可能であり、スプライス固定位置共通化したことで安全かつ高密度・高信頼性が得られ、片方向配線により作業の自由度が大きく、ハンドリング時の安全確保と簡単な心線識別と任意のファイバーが容易に取り出し可能である。
【図面の簡単な説明】
【図１】  本発明の実施例の一部切断側面図である。
【図２】  図１の例の底面図である。
【図３】  図１の組立使用状態の分離斜視図である。
【図４】  本発明で用いられるケーブル挿入部を示し、（ａ）は図２のＡ−Ａ線における拡大縦断面図、（ｂ）はその平面図、（ｃ）はケーブルシールの平面図である。
【図５】  本発明で用いられるケーブル挿入部を示し、（ａ）は図２のＢ−Ｂ線における拡大縦断面図、（ｂ）はその底面図、（ｃ）はその側面図である。
【図６】  本発明で用いられるケーブル把持金具を示し、（ａ）はその正面図、（ｂ）は平面図、（ｃ）はＣ−Ｃ線における縦断面図、（ｄ）はＤ−Ｄ線における横断面図である。
【図７】  本発明で用いられるケーブル把持用のスペーサを示し、（ａ）はその平面図、（ｂ）は正面図、（ｃ）はＥ−Ｅ線における切断側面図である。
【図８】  本発明で用いられる心線収容体の組立状態の分離斜視図である。
【図９】  本発明で用いられる心線収容体を示し、（ａ）はその平面図、（ｂ）はＦ−Ｆ線における切断側面図、（ｃ）は正面図である。
【図１０】  本発明で用いられるドロップケーブル用のケーブルシールを示し、（ａ）は縦断面図、（ｂ）は側面図である。
【図１１】  本発明で用いられるドロップケーブルのテンションメンバ把持部を示し、（ａ）はその正面図、（ｂ）は側面図、（ｃ）は平面図である。
【図１２】  本発明で用いられる集合ドロップケーブルの把持金具を示し、（ａ）は正面図、（ｂ）は一部切断側面図、（ｃ）は背面図、（ｄ）は底面図である。
【図１３】  本発明で用いられるカセットを示し、（ａ）はその平面図、（ｂ）はＧ−Ｇ線における縦断面図、（ｃ）は側面図、（ｄ）はＨ−Ｈ線における縦断面図である。
【図１４】  本発明で用いられる心線ねじれ防止治具を示し、（ａ）はその平面図、（ｂ）は正面図、（ｃ）は底面図、（ｄ）はＩ−Ｉ線における拡大縦断面図である。
【符号の説明】
１          ケーブル挿通孔
１１        キャップ
２          ベース部材
２１        筒状嵌合部
３          カバー部材
４          ケーブルシール
４１        板状部材
４２        中空筒状部材
４３        シールリング
４４        切目
５          係止部
６          把持金具
６１        係止部
６２        テンションメンバ把持具
６３        係止部
７          バンド
７１        凹部
７２        ヒンジ
７３        バックル
８          パッキン
９          取付部材
１０          支持体
１０１        ベース部材
１１          係止片
１１１        フランジ
１２          心線余長巻取部
１３          コネクタ収容部
１３１        テープ接続収容部
１３２        単心線接続収容部
１３３        変換心線分離部収容部
１４          心線収容体
１５          連結ピン
１５１        アーム
１６          カセット
１８          心線導出入部
２０          クロージャ
２３          シール部材
２４          ノブ
２５          スペーサ
２６          定着片
２７，２７１  取付孔
２８，２９    ヒンジ凹凸部
３０，３１    貫通孔
３３          集合ドロップケーブル把持金具
３４          心線ねじれ防止治具
３５          収容部
３６          取付片
【図１】
0003645039.tif 000002
【図２】
0003645039.tif 000003
【図３】
0003645039.tif 000004
【図４】
0003645039.tif 000005
【図５】
0003645039.tif 000006
【図６】
0003645039.tif 000007
【図７】
0003645039.tif 000008
【図８】
0003645039.tif 000009
【図９】
0003645039.tif 000010
【図１０】
0003645039.tif 000011
【図１１】
0003645039.tif 000012
【図１２】
0003645039.tif 000013
【図１３】
0003645039.tif 000014
【図１４】
0003645039.tif 000015